(57)【特許請求の範囲】
【請求項１】
起歪体を含むロードセルが組み込まれるロードセルユニットと、前記ロードセルユニットに設けられ、前記対象物に対してロードセルユニットを貼着する貼着層と、前記ロードセルからの検出信号を演算処理する演算制御部に接続する接続線と、を少なくとも備え、  
前記ロードセルユニットが前記貼着層によって対象物に貼着され、対象物の存否あるいは重量が、前記ロードセルユニットによって検出される重量センサーユニットにおいて、
前記ロードセルユニットが、
起歪体を含むロードセルが組み込まれるロードセル組込みベースと、
前記ロードセル組込みベースに組み込まれたロードセルの一部に当接して、前記対象物の荷重を前記起歪体に与えることで、起歪体に撓みを加える、樹脂素材の接地部材と、
金属素材の前記起歪体に形成された球状突起と、
前記接地部材に設けられ、前記球状突起を押圧する金属製の押し板と、
前記接地部材を挿通させて、接地部材の接地面を外部に突出させる貫通孔を有し、前記ロードセル組込みベースに取り付けられることで、前記ロードセル及び接地部材の一部を覆うカバーケースと、
を備え、
前記貼着層が前記ロードセル組込みベースに設けられ、前記貼着層によって前記対象物に対してロードセル組込みベースが貼着され、
前記対象物の荷重によって、前記接地部材が前記貫通孔内に後退することで、接地部材に設けられた金属製の押し板、球状突起を介して、起歪体に撓みを加え、
前記対象物が所定以上の重量である場合には、前記接地部材の接地面が前記貫通孔内に後退し、前記カバーケースの下底面が接地することで前記荷重の一部を受け、起歪体に作用する荷重を低減することを特徴とする重量センサーユニット。
【請求項２】
前記起歪体は、外枠と前記外枠にスリットを介して連結された舌状部を備え、前記外枠が前記ロードセル組込みベースに保持されると共に、前記舌状部に接地部材の一部が当接して、起歪体に撓みを加える請求項１に記載の重量センサーユニット。
【請求項３】
前記ロードセル組込みベースに対してカバーケースを取り付けた状態において、ロードセル組込みベース及びカバーケースのそれぞれを連通する接続線の挿通部が形成され、
連通する前記各挿通部を介して、ロードセルへの接続線が前記カバーケースから導出されることを特徴とする請求項１に記載の重量センサーユニット。
【請求項４】
前記対象物には、対象物が載置される載置板を含み、
前記貼着層によって、ロードセルユニットが載置板に貼着されることを特徴とする請求項１乃至請求項３のいいずれかに記載の重量センサーユニット。
【請求項５】
前記ロードセル組込みベースに、載置板の背面全体を覆うカバーケースの取り付け部が設けられている請求項４に記載の重量センサーユニット。
【発明の詳細な説明】
【技術分野】
【０００１】
この発明は、重量センサーユニットに関し、特に、計量、検出する対象物に貼着可能な重量センサーユニットに関する。
【背景技術】
【０００２】
一般に、荷重を受けて変形する起歪体と、歪みゲージを組み合わせたロードセルを重量センサーが知られている。この重量センサーは、例えば電子体重計などを含む各種の重量計に内蔵されている。
例えば、特許文献１には、前記したロードセルを用いた電子体重計の一例が開示されている。
この電子体重計３０では、図１１に示すように矩形状に形成された載置プレート３１の四隅の裏側に、起歪体の上方揺動スペースを確保するためのスペーサ部材３２が溶接、接着その他の固定手段によって固定されている。また、図１２に示すように、スペーサ部材３２にロードセル３３が、ねじ３４により締結されており、さらに、ねじ３５によって脚部３６がロードセル３３を構成する起歪体３７の下面に、硬球３８を介して取り付け固定されている。
【０００３】
この場合、起歪体３７に脚部３６を連結するねじ３５の頭部下面と、前記脚部３６に設けられたねじ孔３９との間には、金属製のカラー４０が装着されて、前記硬球３８を介して受ける脚部３６側の凹穴４１に、必要以上の負荷（圧接力）を作用させないように構成されている。
【０００４】
これにより、図１２に示すように、脚部３６の凹穴４１に硬球３８を収容し、起歪体３７の挿通孔４２にカラー４０及びねじ３５を挿通すると共に、ねじ３５を脚部４１のねじ孔３９に螺着することで、脚部３６を起歪体３７に取り付け固定でき、硬球３８が脚部３６側の凹穴４１に支承された形態に保持できる。
【０００５】
尚、図示しないが、この電子体重計３０には、ロードセル３３の検出する荷重信号を集計する演算手段である演算制御部（ＣＰＵ）と、載置プレート３１の表面側に露出し、演算制御部（ＣＰＵ）の演算結果（計量値）をデジタル表示する表示手段である表示部とを備えている。
【０００６】
このように、特許文献１に開示された電子体重計（重量計）では、ロードセルと、ロードセルの検出する荷重信号を集計する演算手段である演算制御部（ＣＰＵ）と、演算制御部（ＣＰＵ）の演算結果（計量値）をデジタル表示する表示手段である表示部とを備え、載置プレートの裏側にスペーサ部材を介してロードセルが取り付けられ、このロードセルに脚部が取り付け固定されている。
そして、被測定物（対象物）を載置プレート上に載置することにより、ロードセルが検出した荷重信号を演算処理し、計量値がデジタル表示される。
【先行技術文献】
【特許文献】
【０００７】
【特許文献１】特開２００３−１４９０３８号公報
【発明の概要】
【発明が解決しようとする課題】
【０００８】
ところで、測定する対象物は各種色々あり、例えば、対象物が非常に大きく、重量計上に載置することができないものもある。また対象物が非常に重く、重量計まで搬送することが困難な場合がある。
更に重量測定の結果の利用方法にも色々あり、対象物の有無（存否）の検出ができればよく、詳細な重量計測まで求められない場合があり、また重量表示が求められない場合もある。
【０００９】
具体的に例を示すと、ポリタンクを定位置に置いたまま（既存の重量計に載置することなく）、ポリタンク内の液体重量を計測できれば、計測のための無駄な搬送作業が不必要となる。
また、運搬用のカゴ、運搬用のケース内の対象物の検出に重量計を用いることができれば、カゴ、ケース内の対象物の有無（存否）を検出できる。この場合の重量計はカゴ、ケース内に収容できる大きさでなければならず、更には詳細な重量の計測まで必要ではない場合もある。
【００１０】
更に、ケース内に収容される対象物、例えば貴金属、また棚の上に載置される対象物、例えば書籍等の有無の検出に重量計を用いることができれば、ケース内、棚の上の対象物の有無（存否）を検出できる。
この場合の重量計はカゴ、ケース内に収容できる、あるいは棚の上に載置できる大きさでなければならず、更には詳細な重量の計測まで必要ではない場合もある。
【００１１】
また、ベッドから人が離床した否かの検出に、重量計を用いることができれば、ベッド上の人の存否を検出できる。この場合にも、詳細な重量の計測まで必要ではない。
そして、上記した、種々の対象物の有無の検出には、重量を表示する表示手段は、必要としない場合もある。
【００１２】
このように、使用者からの重量計に対する要求は様々あるが、従来の重量計は、前記したように、ロードセル、演算制御部（ＣＰＵ）、表示部が組み込まれた、一つの計測装置として完成した装置であるため、上記要求を満たすことができないという技術的課題があった。
【００１３】
そこで、本発明者は、ロードセル、演算制御部（ＣＰＵ）、表示部を別々に形成し、ロードセルを含む重量センサーユニットを対象物に対して貼着可能に形成することで、上記技術的課題を解決できることを見出し、本発明を想到した。
【００１４】
本発明は、対象物に対して貼着可能な重量センサーユニットを提供することを目的とするものである。
【課題を解決するための手段】
【００１５】
前記した課題を解決するためになされた重量センサーユニットは、起歪体を含むロードセルが組み込まれるロードセルユニットと、前記ロードセルユニットに設けられ、前記対象物に対してロードセルユニットを貼着する貼着層と、前記ロードセルからの検出信号を演算処理する演算制御部に接続する接続線と、を少なくとも備え、前記ロードセルユニットが前記貼着層によって対象物に貼着され、対象物の存否あるいは重量が、前記ロードセルユニットによって検出される重量センサーユニットにおいて、前記ロードセルユニットが、起歪体を含むロードセルが組み込まれるロードセル組込みベースと、前記ロードセル組込みベースに組み込まれたロードセルの一部に当接して、前記対象物の荷重を前記起歪体に与えることで、起歪体に撓みを加える、樹脂素材の接地部材と、金属素材の前記起歪体に形成された球状突起と、前記接地部材に設けられ、前記球状突起を押圧する金属製の押し板と、前記接地部材を挿通させて、接地部材の接地面を外部に突出させる貫通孔を有し、前記ロードセル組込みベースに取り付けられることで、前記ロードセル及び接地部材の一部を覆うカバーケースと、を備え、前記貼着層が前記ロードセル組込みベースに設けられ、前記貼着層によって前記対象物に対してロードセル組込みベースが貼着され、前記対象物の荷重によって、前記接地部材が前記貫通孔内に後退することで、接地部材に設けられた金属製の押し板、球状突起を介して、起歪体に撓みを加え、前記対象物が所定以上の重量である場合には、前記接地部材の接地面が前記貫通孔内に後退し、前記カバーケースの下底面が接地することで前記荷重の一部を受け、起歪体に作用する荷重を低減することを特徴とする。
【００１６】
このように、本発明にあっては、ロードセルからの検出信号を演算処理する演算制御部に接続線で接続されるため、使用者が必要とする、演算制御部（ＣＰＵ）及び表示部を選択でき、所定の演算制御部（ＣＰＵ）、表示部に接続できる。そして、使用者が必要とする対象物の存否あるいは重量の表示等を行うことができる。
特に、起歪体を含むロードセルが組み込まれるロードセルユニットを、対象物に対して貼着可能に形成されているため、対象物が非常に大きく、重量計に載置することができない場合、また対象物が非常に重く、重量計まで搬送することが困難な場合にも重量を計測できる。
また、ロードセルユニットを、対象物に対して貼着可能に形成されているため、重量計のような筐体を必要としない。
【００１７】
ここで、前記ロードセルユニットが、起歪体を含むロードセルが組み込まれるロードセル組込みベースと、前記ロードセル組込みベースに組み込まれたロードセルの一部に当接して、前記対象物の荷重を前記起歪体に与えることで、起歪体に撓みを加える接地部材と、前記接地部材を挿通させて接地面を外部に突出させる貫通孔を有し、前記ロードセル組込みベースに取り付けられることで、前記ロードセル及び接地部材の一部を覆うカバーケースと、を備え、前記貼着層が、前記ロードセル組込みベースに設けられ、前記対象物に対してロードセル組込みベースを貼着する。
【００１８】
このように、前記ロードセルユニットが、ロードセル組込みベースと、対象物の荷重をロードセルの起歪体に与える接地部材と、ロードセル組込みベースに取り付けられて、前記ロードセル及び接地部材の一部を覆うカバーケースとを備えてユニット化される。
そして、ユニット化された重量センサーユニットを、前記した貼着層によって対象物に貼り付けることができるように構成されている。
この重量センサーのロードセルユニットの組み立ては容易であり、更に起歪体を含むロードセルなどの機構部品が、個々のロードセルユニットに備えられるカバーケースによって覆われるので、体裁の整った重量センサーユニットを提供することができる。
【００１９】
また、前記対象物が所定以上の重量である場合には、前記接地部材の接地面が前記貫通孔内に後退することで、前記カバーケースによって前記荷重の一部を受ける。
このように、接地部材は、カバーケースに形成した貫通孔に挿通させた状態で配置されるので、対象物から所定以上の荷重が作用した際には、カバーケースの下底面が接地して前記荷重の一部を受けるように作用し、過剰な荷重を受けてロードセルの起歪体が永久変形する問題も解消させることができる。
また、前記ロードセル側に形成された球状突起と、前記接地部材に設けられ、前記球状突起を押圧する金属製の押し板と、を備える。
【００２０】
ここで、前記起歪体は、外枠と前記外枠にスリットを介して連結された舌状部を備え、前記外枠が前記ロードセル組込みベースに保持されると共に、前記舌状部に接地部材の一部が当接して、起歪体に撓みを加えることが望ましい。
【００２１】
また、前記ロードセル組込みベースに対してカバーケースを取り付けた状態において、ロードセル組込みベース及びカバーケースのそれぞれを連通する接続線の挿通部が形成され、連通する前記各挿通部を介して、ロードセルへの接続線が前記カバーケースから導出されることが望ましい。
【００２２】
前記対象物には、対象物が載置される載置板を含み、前記貼着層によって、ロードセルユニットが載置板に貼着されることが望ましい。
このように、ロードセルユニットは、貼着層によって対象物に直接貼り付ける場合のみならず、載置板に貼り付け、対象物を検出あるいは計測しても良い。
また、前記ロードセル組込みベースに、載置板の背面全体を覆うカバーケースの取り付け部が設けられていることが望ましい。
【発明の効果】
【００２３】
本発明によれば、対象物に対して貼着可能な重量センサーユニットを得ることができる。
【図面の簡単な説明】
【００２４】
【図１】本発明に係る重量センサーユニットの第一の実施形態を模式的に示した分解斜視図である。
【図２Ａ】図１に示す重量センサーユニットの上面図である。
【図２Ｂ】同じく重量センサーユニットの縦断面図である。
【図２Ｃ】図２Ｂに対して直交する方向の縦断面図である。
【図２Ｄ】同じく重量センサーユニットをコード口側から見た正面図である。
【図３Ａ】重量センサーユニットのケースカバーを示す縦断面図である。
【図３Ｂ】図３Ａに対して直交する方向の縦断面図である。
【図４Ａ】重量センサーユニットのロードセル組込みベースを示す上面図である。
【図４Ｂ】ロードセル組込みベースの縦断面図である。
【図５】本発明に係る重量センサーユニットの使用状態の一例を示した模式図ある。
【図６】本発明に係る重量センサーユニットの使用状態の一例を示した模式図ある。
【図７Ａ】本発明に係る重量センサーユニットの使用状態の一例を示した模式図あって、重量センサーユニットを載置板の背面に取り付けた形態を示す模式図である。
【図７Ｂ】図７Ａに示した載置板を棚に置き、載置物の有無（存否）を検出する使用状態を説明するための断面図である。
【図８Ａ】本発明に係る重量センサーユニットの第二の実施形態を模式的に示した上面図である。
【図８Ｂ】図８Ａに示す重量センサーユニットの縦断面図である。
【図８Ｃ】図８Ｂに対して直交する方向の縦断面図である。
【図９】図８の重量センサーユニットを用いた載置板を示す模式図である。
【図１０】図９の載置板の背面を示す模式図である。
【図１１】従来の重量計（電子体重計）の一例を示した底面側の斜視図である。
【図１２】同じく従来の体重計のロードセル取り付け部の分解斜視図である。
【発明を実施するための形態】
【００２５】
この発明に係る重量センサーユニットの一実施形態を図１乃至図４に基づいて説明し、重量センサーユニットの使用例を、図５乃至図７に基づいて説明する。
【００２６】
（重量センサーユニットの構成）
図１に示す重量センサーユニット１は、ロードセルユニット１Ａを備え、ロードセルユニット１Ａは、ロードセル組込みベース２、ロードセル３、接地部材４、カバーケース５を備えている。
このロードセルユニット１Ａは、前記ロードセル組込みベース２に対してカバーケース５が着脱可能に取り付けられることで、ロードセル３と接地部材４の一部が、ロードセルユニット１Ａ内に収容されて、ロードセルユニット１Ａがユニット化される。
【００２７】
このロードセルユニット１Ａには、ロードセル組込みベース２の背面（対象物への取り付け面）に、貼着層６（図２Ｂ〜図２Ｄ参照）が形成されている。
また、前記ロードセルユニット１Ａを、ロードセル３の検出する荷重信号を集計する演算手段である演算制御部（ＣＰＵ）１１（図５乃至図７参照）に接続するための接続線７が設けられ、重量センサーユニット１とされる（図２Ａ参照）。
尚、演算制御部（ＣＰＵ）１１は、使用者の目的合わせて選択される。また、重量センサーユニット１の単品の状態においては、前記貼着層６を図示せぬ隔離紙でカバーした状態で保管できるように構成されることが望ましい。
【００２８】
前記ロードセル３は、金属素材により形成された起歪体３Ａと、起歪体３Ａの一部に貼着された２つの歪みゲージ３Ｂを備えて構成される。
起歪体３Ａは、外枠３ａとこの外枠３ａにスリット３ｂを介して連結された一対の舌状部３ｃを備えており、前記外枠３ａがロードセル組込みベース２に形成された段部２ｂにおいて支持されると共に、一対の舌状部３ｃには後述する接地部材４の一部が当接して、起歪体３Ａに荷重に伴う撓みを加えるように作用する。
【００２９】
すなわち、起歪体３Ａの外枠３ａと一対の舌状部３ｃとの連結部に、前記撓みが加わることで、２つの歪みゲージ３Ｂの一方には、牽引作用が与えられ、他方には収縮作用が与えられる。これによる２つの歪みゲージ３Ｂの互いの電気抵抗の変化を検出することで、起歪体３Ａに加わる荷重が検出される。
【００３０】
前記接地部材４は好ましくは樹脂素材により構成され、鍔部４ａを中央にして、一方に接地面４ｂを有する円柱体４ｃが形成され、他方に前記した起歪体３Ａの一対の舌状部３ｃに対してそれぞれ当接する一対の当接部４ｄ（図２Ｂ、図２Ｃ参照）が形成されている。
そして、接地部材４の円柱体４ｃは、カバーケース５に形成された貫通孔５ａに挿通され、前記接地面４ｂをカバーケース５の外部に突出させた状態で、接地部材４はカバーケース５によって保持される（図２Ｂ、図２Ｃ参照）。
これにより、前記したロードセル３及び接地部材４の一部はカバーケース５によって覆われる。
【００３１】
前記カバーケース５は、ロードセル組込みベース２の四側面を覆い、カバーケース５の係合突起５ｂが、ロードセル組込みベース２の係合凹部２ｄ（図４Ｂ参照）に対して係止されることにより、着脱可能に取り付けられる（図２Ｂ参照）。
これにより、ユニット化されたロードセルユニット１Ａが組み上げられる。
【００３２】
このとき、図３Ａに示すようにカバーケース５内に形成されたロードセル押えリブ５ｃが、ロードセル組込みベース２内に収容されたロードセル３における起歪体３Ａの外枠３ａに当接し、ロードセル３は押えリブ５ｃによってロードセル組込みベース２内の所定の位置に固定配置される（図２Ｂ参照）。
また、このとき同時に、カバーケース５の側面に形成された矩形状の切欠部５ｄ（図３Ａ参照）は、ロードセル組込みベース２に形成された切欠部２ｃ（図３Ｂ参照）に連通する。これにより、ロードセル３への接続線７の挿通部（コード口）５ｅを形成することができる（図２Ｄ参照）。
【００３３】
（重量センサーユニットの取付け状態（使用状態）の例）
次に、重量センサーユニット１の使用例について説明する。
まず、図５に、ポリタンク（対象物）１０内の液体の存否、あるいは重量を検出する例を示す。
図５に示すように、前記重量センサーユニット１は、前記したように、起歪体３Ａを含むロードセル３が組み込まれるロードセルユニット１Ａと、対象物１０に対してロードセルユニット１Ａを貼着する貼着層６とを備えている。
【００３４】
また、この重量センサーユニット１は接続線７を備えている。前記重量センサーユニット１は、前記接続線７によって、重量センサーユニット１と別体に形成された、ロードセルの検出する荷重信号を集計する演算手段である演算制御部（ＣＰＵ）１１に接続される。
更に、前記演算制御部（ＣＰＵ）１１は、その演算結果（計量値）をデジタル表示する表示手段である表示部１２に接続される。
【００３５】
そして、重量センサーユニット１（ロードセルユニット１Ａ）が貼着層６によって、ポリタンク１０の底面に貼着され、ポリタンク１０内の液体の存否あるいは重量が、前記ロードセルユニット１Ａによって検出される。
【００３６】
ここで、ポリタンク１０内の液体の存否を検出するか、重量を検出するかによって、使用者によって必要とする演算制御部（ＣＰＵ）１１及び表示部１２が選択され、重量センサーユニット１を、所定の演算制御部（ＣＰＵ）１１、表示部１２に接続する。
尚、ポリタンク１０内の液体の存否を検出する場合には、所定の残量以下、あるいは所定の残量以上を検出できれば良く、詳細な残量を計測する必要はない。また表示部も詳細な残量を表示する必要はなく、所定残量の有無を表示できるもの、例えばＬＥＤを点滅させても良い。
【００３７】
このように、重量センサーユニット１を、ポリタンク１０に対して貼着できるため、ポリタンク１０を定位置に置いたまま（既存の重量計まで搬送し、載置することなく）、ポリタンク１０内の液体重量を計測でき、計測のための無駄な搬送作業が不必要となる。また、重量センサーユニット１と演算制御部（ＣＰＵ）１１が別体に形成され接続線で接続されるため、従来の重量計のような筐体を必要としない。
【００３８】
尚、図示しないが、演算制御部（ＣＰＵ）１１に送信手段を接続し、重量センサーユニット１の検出結果を、離れた人に対して送信するように構成しても良い。
【００３９】
次に、図６に、ベッド上の人の存否、あるいはベッド上の人の位置を検出する使用例を示す。
重量センサーユニット１（ロードセルユニット１Ａ）が貼着層６によって、ベッド１３の四本の足部１３ａ底面の夫々に貼着され、四本の足部１３ａに加わる荷重が重量センサーユニット１（ロードセルユニット）によって検出される。
即ち、ベッド１３上の人の存否が、前記ロードセルユニット１Ａによって検出される。また、ベッド１３の四本の足部１３ａに加わる重量をそれぞれ検出し、それら荷重を解析することによって、ベッド１３上の人の位置を検出することもができる。
尚、ベッド１３上の人の存否を検出するか、ベッド１３上の人の位置を検出するかによって、使用者は必要とする演算制御部（ＣＰＵ）１１及び表示部１２を選択し、使用者は、重量センサーユニット１を所定の演算制御部（ＣＰＵ）１１、表示部１２に接続する。
【００４０】
このように、重量センサーユニット１を、ベッド１３の足部１３ａに対して装着することにより、ベッド１３上の人の存否、ベッド１３上の人の位置を検出することができる。
【００４１】
次に、図７に、載置板上の載置物の存否を検出する例を示す。尚、図７Ａは、図１乃至図４の重量センサーユニットを載置板の背面に取り付けた例を示し、図７Ｂは載置板上に載置物Ｍが載置された状態を示す図である。
この例の載置物としては、カゴ、ケース内に収容される、あるいは棚に載置される製品（商品）、例えば貴金属、食品、書籍等があげられる。
そして、載置板に重量センサーユニット貼着し、載置板及び載置物を対象物としてその重量を測定し、載置板上の載置物の存否（有無）を検出するものである。
【００４２】
図７Ａに示す載置板１４は、金属材あるいは樹脂材により形成された、平板状のプレート１４ａを有している。そして、載置板１４（プレート１４ａ）の背面として、この背面の四隅付近に、図１に示した重量センサーユニット１が、それぞれ取り付けられる。
この場合、重量センサーユニット１の貼着層６を覆う剥離紙を取り除いた状態で、前記貼着層６を利用して、４個の重量センサー１が図７Ａに示すようにそれぞれ取り付けられる。
【００４３】
図７Ａ、図７Ｂに示す実施の形態においても、図示しないが図５、図６に示した使用例と同様に、各重量センサーユニット１から導出される接続線７が、プレート１４ａの背面中央に取り付けられた演算制御部１１に接続される。そして、演算制御部１１から荷重情報が表示部１２に出力される。
尚、前記演算制御部１１は、プレート１４ａの背面に、必ずしも取り付けられる必要はなく、プレート１４ａの外部に設けても良い。
【００４４】
そして、重量センサーユニット１から突出する前記接地部材４の接地面４ｂを、水平面１５上、例えば、カゴ、ケースの底面上、あるいは棚上に位置させる。
その後、プレート１４ａの上面に載置物Ｍを載せ、荷重を加えることで、４個の重量センサーユニット１からの荷重情報を得ることができる。
この場合、プレート１４ａ及び載置物Ｍの合計の荷重情報を得ることになるが、演算処理部１１でプレートの荷重を引くことにより、載置物Ｍの重量等を得ることができる。
そして、重量センサーユニット１に接続された所定の演算制御部（ＣＰＵ）、表示部から、使用者が必要とする載置物Ｍの存否あるいは重量の表示等を行うことができる。
【００４５】
なお、図７Ａ、図７Ｂに示す載置板１４を一つで用いることもできるが、例えば倉庫などの比較的面積が広い水平面上の区画に、多数の載置板１４を並べて、この載置板１４上に搭載される製品全体の重量を計量することで、製品の在庫管理などに利用することができる。
また、前記載置板１４では、４個の重量センサーユニット１を用いたが、２個、６個、８個と必要に応じて、その数を増減しても良い。
【００４６】
（重量センサーユニットの第二の実施形態）
重量センサーユニット１の第二の実施形態を、図８Ａ〜図８Ｃに基づいて説明する。なお、第二の実施形態の重量センサーにおいて、第一の形態の重量センサーユニットと相当する部材には同一符号で示し、その詳細な説明は適宜省略する。
【００４７】
この重量センサーユニット１は、図に示すようにロードセル組込みベース２、ロードセル３、接地部材４を備えており、ロードセル組込みベース２内に組み込まれるロードセル３には、球状突起３ｄが形成されている。
一方、接地部材４内には、ロードセル３の球状突起３ｄに当接して球状突起３ｄを押圧する金属製押し板８が、接地部材４の接地面４ｂと平行して配置されている。
また、ロードセル組込みベース２の背面には、粘着層６が形成されると共に、粘着層６の敷設側とは反対面の四隅に、ロードセル組込みベース２をカバーケース５に締結させる４本のビス止め用ボス２ｅが立設されている。
【００４８】
図８Ａ〜図８Ｃに示す重量センサーユニット１によると、接地部材４側に配置された金属製押し板８が、ロードセル３側の球状突起３ｄに当接して、起歪体３Ａに対して荷重に対応した撓みを加えるように作用する。
この構成によると、ロードセル３に作用する偏心荷重は、前記した球状突起３ｄによって効果的に吸収され、ロードセル３による荷重情報の出力精度を向上させることに寄与できる。
さらに、この重量センサーユニット１によると、ロードセル組込みベース２に、プレート１４ａの背面全体を覆うカバーケース５への取り付け部、すなわち４本のビス止め用ボス２ｅが備えられているので、カバーケース５の底面に対して、重量センサーユニット１を容易に取り付けることができる。
【００４９】
（第２の実施形態の重量センサーユニットの取付け状態（使用状態）の例）
重量センサーユニット１の第２の実施形態の取付け状態（使用状態）にあっては、図９、図１０に示すように、プレート１４ａの背面全体を覆うカバーケース５の裏面に形成された貫通孔５ａを介して、各重量センサー１の接地面４ｂをカバーケース５から突出させた状態に組み上げ、各重量センサーユニット１を構成するロードセル組込みベースに施された粘着層６を利用して、その上面にプレート１４ａを取り付けた構成が採用される。
【００５０】
この載置板１４に用いられる重量センサーユニット１は、図９に示すようにロードセル組込みベース２、ロードセル３、接地部材４が備えられて、載置板１４の背面全体を覆うカバーケース５に形成された貫通孔５ａにおいて、接地部材４の接地面４ｂをカバーケース５から突出させた状態で取り付ける。
なお、この実施の形態においては、カバーケース５の下底部内面の適宜の位置に、ロードセル組込みベース２をビス１６で締結することができるビス止め用のボス５ｆが形成されている。
したがって、カバーケース５内に４組の重量センサーユニット１をビス１６で締結した状態で、各ロードセル組込みベース２の背面に施された粘着層６によって、その上面に載置プレート１２を貼り付けることで、載置板１４を組み上げることができる。
【００５１】
また、この載置板１４に用いられるカバーケース５には、長手方向の端部に、回路基板や電池などの収容空間５Ａが形成されており、この収容空間５Ａは蓋体５Ｂによって閉塞される。また、前記蓋体５Ｂには電池蓋５Ｃが着脱可能に取り付けられる。尚、載置板１４の収容空間５Ａ内には接続線７のみを配置し、回路基板や電池を配置せず、回路基板や電池を載置板１４の外部に設けても良い。
【００５２】
この載置板１４によると、図１０に示すように載置板１４の背面全体が、カバーケース５によって覆われて、カバーケース５の四隅付近に接地部材４の接地面４ｂが突出した状態に構成される。
したがって、この載置板１４によると、体裁の良い載置板１４を提供することができる。
【００５３】
そして、接地部材４は、載置板の背面全体を覆うカバーケース５に形成した貫通孔５ａに挿通させた状態で配置されるので、過剰な荷重を受けた場合には、カバーケース５の下底面が接地して前記荷重の一部を受けるように作用する。
したがって、ロードセル３の起歪体３Ａが永久変形するのが阻止できる点で、第１形態の重量計と同様の作用効果を得ることができる。
【００５４】
なお、図９に示す第２形態の載置板１４においては、プレート１４ａとして、例えば強化ガラス板を用い、この強化ガラス板の背面に、ロードセル３によって得られる荷重の計測値を表示する表示器を備えた構成を実現させることができる。この構成によると、例えば、載置板１４を、一般の家庭などにおいて用いられる電子体重計として用いることもできる。
【符号の説明】
【００５５】
１      重量センサーユニット
１Ａ    ロードセルユニット
２      ロードセル組込みベース
２ｂ    段部
２ｃ    切欠部
２ｄ    係合凹部
３      ロードセル
３Ａ    起歪体
３Ｂ    歪みゲージ
３ａ    外枠
３ｂ    スリット
３ｃ    舌状部
３ｄ    球状突起
４      接地部材
４ｂ    接地面
４ｄ    当接部
５      カバーケース
５ａ    貫通孔
５ｂ    係合突起
５ｄ    切欠部
５ｅ    接続線挿通部（コード口）
６      貼着層
７      接続線
８      金属製押し板
１０    ポリタンク
１１    演算制御部
１２    表示部
１３    ベッド
１４    載置板
１４ａ  プレート
【要約】
【課題】対象物に対して貼着可能な重量センサーユニットを提供する。
【解決手段】この重量センサーユニット１は、ロードセル２からの検出信号を演算処理する演算制御部に接続線で接続されると共に、対象物に対して取り付けられるロードセルユニット１Ａを備える重量センサーユニットであって、起歪体３Ａを含むロードセル３が組み込まれるロードセルユニット１Ａと、前記ロードセルユニット１Ａに設けられ、前記対象物に対してロードセルユニット１Ａを貼着する貼着層６と、を少なくとも備え、前記ロードセルユニット１Ａが前記貼着層６によって対象物に貼着され、対象物の存否あるいは重量が、前記ロードセルユニット１Ａによって検出される。
【選択図】図１【図１】
0006865988.tif 000002
【図２Ａ】
0006865988.tif 000003
【図２Ｂ】
0006865988.tif 000004
【図２Ｃ】
0006865988.tif 000005
【図２Ｄ】
0006865988.tif 000006
【図３Ａ】
0006865988.tif 000007
【図３Ｂ】
0006865988.tif 000008
【図４Ａ】
0006865988.tif 000009
【図４Ｂ】
0006865988.tif 000010
【図５】
0006865988.tif 000011
【図６】
0006865988.tif 000012
【図７Ａ】
0006865988.tif 000013
【図７Ｂ】
0006865988.tif 000014
【図８Ａ】
0006865988.tif 000015
【図８Ｂ】
0006865988.tif 000016
【図８Ｃ】
0006865988.tif 000017
【図９】
0006865988.tif 000018
【図１０】
0006865988.tif 000019
【図１１】
0006865988.tif 000020
【図１２】
0006865988.tif 000021